(57)【要約】【課題】眼鏡に対して小型ディスプレイを簡単に所望の位置で取り付けることができる取り付け具を提供する。【解決手段】眼鏡に小型ディスプレイを取り付ける取り付け具であって、眼鏡の一部を挟むクリップ部と、クリップ部から延伸する軸棒と、軸棒に支持され、軸棒に対して、軸棒の長手方向に摺動する摺動部材と、摺動部材に連結され、摺動部材に対して、軸棒の長手方向に直交する回転軸まわりに回転する中間部材と、中間部材に連結され、中間部材の回転軸に直交する回転軸まわりに回転し、小型ディスプレイを保持するディスプレイ保持部とを備える。【選択図】図１
2006253902.tif 000002
【特許請求の範囲】
【請求項１】
眼鏡に小型ディスプレイを取り付ける取り付け具であって、
眼鏡の一部を挟むクリップ部と、
前記クリップ部から延伸する軸棒と、
前記軸棒に支持され、前記軸棒に対して、前記軸棒の長手方向に摺動する摺動部材と、
前記摺動部材に連結され、前記摺動部材に対して、前記軸棒の長手方向に直交する回転軸まわりに回転する中間部材と、
前記中間部材に連結され、前記中間部材の前記回転軸に直交する回転軸まわりに回転し、前記小型ディスプレイを保持するディスプレイ保持部と
を備える取り付け具。
【請求項２】
前記摺動部材及び前記中間部材のそれぞれは、それぞれの前記回転軸に対して平行な一対の平坦面を有する請求項１に記載の取り付け具。
【請求項３】
前記ディスプレイ保持部は、略Ｃ字型を有し、前記Ｃ字型の切り欠き部分が前記小型ディスプレイの突部に嵌め合わされる請求項１に記載の取り付け具。
【請求項４】
前記軸棒は、前記クリップ部から左右に延伸している請求項１に記載の取り付け具。
【請求項５】
画像形成装置であって、
画像情報を生成する画像情報生成部と、
前記画像情報生成部が生成した前記画像情報を表示する小型ディスプレイと、
前記小型ディスプレイを眼鏡に取り付ける取り付け具と、
前記眼鏡のレンズに吸着して前記小型ディスプレイを固定する吸着部と
を備え、
前記取り付け具は、
眼鏡の一部を挟むクリップ部と、
前記クリップ部から延伸する軸棒と、
前記軸棒に支持され、前記軸棒に対して、前記軸棒の長手方向に摺動する摺動部材と、
前記摺動部材に連結され、前記摺動部材に対して、前記軸棒の長手方向に直交する回転軸まわりに回転する中間部材と、
前記中間部材に連結され、前記中間部材の前記回転軸に直交する回転軸まわりに回転し、前記小型ディスプレイを保持するディスプレイ保持部と
を有する画像形成装置。
【発明の詳細な説明】
【技術分野】
【０００１】
本発明は、取り付け具及び画像形成装置に関する。本発明は、特に、眼鏡に小型ディスプレイを取り付ける取り付け具、及び、当該小型ディスプレイを用いた画像形成装置に関する。
【背景技術】
【０００２】
従来、眼鏡に拡大鏡を取り付ける取り付け具が知られている（例えば、特許文献１を参照）。この取り付け具は、眼鏡の一部を挟むクリップ部と、拡大鏡が取り付けられた軸棒とが二段のリンクにより連結されている。一方、使用者の眼の近傍に配する小型の液晶ディスプレイが知られている。
【特許文献１】特開２００３−２９５１２８号公報
【発明の開示】
【発明が解決しようとする課題】
【０００３】
しかしながら、上記取り付け具を用いて小型の液晶ディスプレイを取り付ける場合に、眼鏡に対してディスプレイを上下方向に調整する場合にはリンクを動かし、また、左右方向に調整する場合には軸棒と拡大鏡との間のネジを緩めてディスプレイを動かす。よって、調整したい方向及び向きについてそれぞれ離れた部分を操作するという不具合があった。また、左右の眼の近傍にそれぞれディスプレイを配する場合に、左右のディスプレイを互いに独立して調整することができないという不具合があった。
【課題を解決するための手段】
【０００４】
上記課題を解決するために、本発明の第１の形態においては、眼鏡に小型ディスプレイを取り付ける取り付け具であって、眼鏡の一部を挟むクリップ部と、クリップ部から延伸する軸棒と、軸棒に支持され、軸棒に対して、軸棒の長手方向に摺動する摺動部材と、摺動部材に連結され、摺動部材に対して、軸棒の長手方向に直交する回転軸まわりに回転する中間部材と、中間部材に連結され、中間部材の回転軸に直交する回転軸まわりに回転し、小型ディスプレイを保持するディスプレイ保持部とを備える。
【０００５】
上記取り付け具において、摺動部材及び中間部材のそれぞれは、それぞれの回転軸に対して平行な一対の平坦面を有してもよい。
【０００６】
上記取り付け具において、ディスプレイ保持部は、略Ｃ字型を有し、Ｃ字型の切り欠き部分が小型ディスプレイの突部に嵌め合わされてもよい。
【０００７】
上記取り付け具において、軸棒は、クリップ部から左右に延伸していてもよい。
【０００８】
本発明の第２の形態においては、画像形成装置であって、画像情報を生成する画像情報生成部と、画像情報生成部が生成した画像情報を表示する小型ディスプレイと、小型ディスプレイを眼鏡に取り付ける取り付け具と、眼鏡のレンズに吸着して小型ディスプレイを固定する吸着部とを備え、取り付け具は、眼鏡の一部を挟むクリップ部と、クリップ部から延伸する軸棒と、軸棒に支持され、軸棒に対して、軸棒の長手方向に摺動する摺動部材と、摺動部材に連結され、摺動部材に対して、軸棒の長手方向に直交する回転軸まわりに回転する中間部材と、中間部材に連結され、中間部材の回転軸に直交する回転軸まわりに回転し、小型ディスプレイを保持するディスプレイ保持部とを有する。
【０００９】
なお、上記の発明の概要は、本発明の必要な特徴の全てを列挙したものではなく、これらの特徴群のサブコンビネーションもまた、発明となりうる。
【発明の効果】
【００１０】
以上の説明から明らかなように、本発明によれば、眼鏡に対して小型ディスプレイを簡単に所望の位置で取り付けることができる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１は、本発明の実施形態に係る画像形成装置２０が眼鏡１０に取り付けられた状態を示す斜視図である。画像形成装置２０は、眼鏡１０を掛けた使用者に対して画像を生成して表示する。画像形成装置２０は、画像情報を生成する画像情報生成部３０と、画像情報生成部３０が生成した画像情報を表示する小型ディスプレイ４０と、小型ディスプレイ４０を眼鏡１０に取り付ける取り付け具１００と、眼鏡１０のレンズ１４に吸着して小型ディスプレイ４０を固定する吸着部５０とを有する。なお、レンズ１４は光学的にレンズの機能を持っていなくてもよい。例えば、レンズ１４はガラス平板であってもよい。
【００１３】
画像情報生成部３０は、生成部本体３２及びこの生成部本体３２と小型ディスプレイ４０とを電気的に接続するケーブル３４とを有する。生成部本体３２は、記憶媒体に記憶された画像を読み出して画像情報を生成して、この画像情報をケーブル３４を介して小型ディスプレイ４０に送る。なお、画像情報生成部３０は、ケーブル３４に替えてワイヤレスで画像情報を小型ディスプレイ４０に送ってもよい。小型ディスプレイ４０は、例えば１インチの液晶パネルとレンズとを有し、生成部本体３２から送られた画像情報を表示する。
【００１４】
図２は、取り付け具１００の斜視図であり、図３は、取り付け具１００を分解して示す分解斜視図である。図２及び図３に示すように、取り付け具１００は、眼鏡１０のフレーム１２を挟むクリップ部１１０と、クリップ部１１０から延伸する軸棒１２０と、軸棒１２０に支持された摺動部材１３０と、摺動部材１３０に連結された中間部材１５０と、中間部材１５０に連結されたディスプレイ保持部１７０とを有する。
【００１５】
クリップ部１１０は、樹脂成型された一対のクリップ片１１２、１１４、及び、これら一対のクリップ片１１２、１１４を連結する板バネ１１６を有する。これにより、クリップ片１１２、１１４は図３における矢印Ａの方向に開閉する。上記構成において、クリップ片１１２、１１４の一端（図中の上端）をユーザが摘んで互いを近接させることにより、他端（図中の下端）を広げる。その状態で当該他端の間に眼鏡１０のフレーム１２を挿入した後に、ユーザがクリップ片１１２、１１４の一端にかけた力を解放することにより、クリップ片１１２、１１４の他端がフレーム１２を挟む。
【００１６】
軸棒１２０は、樹脂成型されており、クリップ部１１０のクリップ片１１４を貫通して、クリップ部１１０の左右に延伸した状態でクリップ片１１４に支持される。軸棒１２０の両端には、ストッパ１２２、１２４が取り付けられる。
【００１７】
摺動部材１３０は、樹脂成型された直方体形状を有する。さらに、摺動部材１３０は直方体形状における一対の向かい合う面間（図中の左右面）を貫通する貫通穴を有する。この貫通穴に軸棒１２０が挿入されて、摺動部材１３０が軸棒１２０に支持される。また、摺動部材１３０は上記貫通穴が設けられた面と直交する面（図中の底面）に不図示の穴を有し、この穴に連結棒１４０が挿入される。
【００１８】
中間部材１５０は、樹脂成型された直方体形状を有する。さらに、中間部材１５０は直方体形状における一つの面（図中の上面）に穴を有する。この穴に連結棒１４０が挿入されることにより、中間部材１５０は摺動部材１３０と連結される。また、中間部材１５０は上記穴が設けられた面と直交する面（図中の右面）に穴をさらに有する。
【００１９】
ディスプレイ保持部１７０は、樹脂成型された略Ｃ字型を有する。ディスプレイ保持部１７０の一部が中間部材１５０の上記穴に挿入されることにより、ディスプレイ保持部１７０が中間部材１５０に連結する。
【００２０】
図４は、取り付け具１００を正面から見た正面図である。図４に示すように、摺動部材１３０は、軸棒１２０に対して、軸棒１２０の長手方向(図中の矢印Ｂ)に摺動する。これにより、眼鏡１０の左右方向、即ち水平方向について、小型ディスプレイ４０の位置を調節することができる。
【００２１】
また、軸棒１２０は、クリップ部１１０から左右のいずれにも延伸しているので、左右のどちらにも摺動部材１３０等を付けることができる。よって、小型ディスプレイ４０を眼鏡１０における左右のどちらのレンズ１４にも取り付けることができる。
【００２２】
図５は、取り付け具１００を底面から見た底面図である。図５に示すように、中間部材１５０は、摺動部材１３０に対して、連結棒１４０を回転軸として回転する。すなわち、中間部材１５０は、軸棒１２０の長手方向に直交する回転軸まわり（図中の矢印Ｃ）に回転する。これにより、レンズ１４に対する小型ディスプレイ４０の前後位置及び水平面内の向きを調整することができる。この場合に、摺動部材１３０及び中間部材１５０のそれぞれは、連結棒１４０に対して平行な一対の平坦面１３２、１５２を有するので、ユーザが摺動部材１３０及び中間部材１５０の平坦面１３２、１５２を掴むことにより、摺動部材１３０に対して中間部材１５０を容易に回転することができる。
【００２３】
図６は、取り付け具１００をディスプレイ保持部１７０の側から見た側面図である。図６に示すように、ディスプレイ保持部１７０は、中間部材１５０の回転軸に直交する回転軸まわり（図中の矢印Ｄ）に回転する。これにより、レンズ１４に対する小型ディスプレイ４０の鉛直面内の向きを調整することができる。また、中間部材１５０とディスプレイ保持部１７０とが連結しているので、小型ディスプレイ４０の６つの空間的な自由度について、この部分で調整をすることができる。
【００２４】
図７は、ディスプレイ保持部１７０が小型ディスプレイ４０を支持する状態を示す背面斜視図である。小型ディスプレイ４０は、突起２２を有する。小型ディスプレイ４０の突起２２に、ディスプレイ保持部１７０におけるＣ字型の切り欠き１７２が嵌め合わされる。これにより、小型ディスプレイ４０を切り欠き１７２に対して位置決めすることができる。特に、ディスプレイ保持部１７０のＣ字型が作る面上の回転方向について、小型ディスプレイ４０を位置決めすることができる。また、切り欠き１７２によりディスプレイ保持部１７０を押し広げることができるので、ディスプレイ保持部１７０に対して小型ディスプレイ４０を容易に着脱することができる。また、吸着部５０は、例えば吸着盤であり、眼鏡１０のレンズ１４に吸着して、小型ディスプレイ４０を眼鏡１０に対して固定する。
【００２５】
以上、本実施形態によれば、小型ディスプレイ４０を眼鏡１０に取り付ける場合に、眼鏡１０に対する小型ディスプレイ４０の６つの空間的な自由度について、互いに近接した部分で調整をすることができる。これにより、眼鏡１０に対して小型ディスプレイ４０を簡単に所望の位置で取り付けることができる。また、眼鏡１０の左右のレンズ１４に対してそれぞれ小型ディスプレイ４０を取り付ける場合に、左右の小型ディスプレイ４０の位置及び向きを独立して調整することができる。
【００２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２７】
【図１】本発明の実施形態に係る画像形成装置２０が眼鏡１０に取り付けられた状態を示す斜視図である。
【図２】取り付け具１００の斜視図である。
【図３】取り付け具１００を分解して示す分解斜視図である。
【図４】取り付け具１００を正面から見た正面図である。
【図５】取り付け具１００を底面から見た底面図である。
【図６】取り付け具１００をディスプレイ保持部１７０の側から見た側面図である。
【図７】ディスプレイ保持部１７０が小型ディスプレイ４０を支持する状態を示す背面斜視図である。
【符号の説明】
【００２８】
１０  眼鏡
１２  フレーム
１４  レンズ
２０  画像形成装置
２２  突起
３０  画像情報生成部
３２  生成部本体
３４  ケーブル
４０  小型ディスプレイ
４２  突部
５０  吸着部
１００  取り付け具
１１０  クリップ部
１１２  クリップ片
１１４  クリップ片
１１６  板バネ
１２０  軸棒
１２２  ストッパ
１２４  ストッパ
１３０  摺動部材
１３２  平坦面
１４０  連結棒
１５０  中間部材
１５２  平坦面
１７０  ディスプレイ保持部
１７２  切り欠き
【図１】
2006253902.tif 000003
【図２】
2006253902.tif 000004
【図３】
2006253902.tif 000005
【図４】
2006253902.tif 000006
【図５】
2006253902.tif 000007
【図６】
2006253902.tif 000008
【図７】
2006253902.tif 000009